(57)【要約】【課題】所望のミラー変形精度を維持しつつ、アクチュエータの数を減らすことができる光学装置におけるアクチュエータの配置技術を提供する。【解決手段】光学装置は、ミラー１と、ミラー１の反射面１ａの形状を変形させる複数のアクチュエータ３と、を有する。複数のアクチュエータ３の少なくとも一部は、前記反射面における前記ミラーの中心から離れるほど密になった複数の同心円上に配置されると共に、同心円の円周方向に等間隔に配置されている。【選択図】図１
2019028352.tif 000002
【特許請求の範囲】
【請求項１】
ミラーと、ミラーの反射面の形状を変形させる複数のアクチュエータと、を有する光学装置であって、
前記複数のアクチュエータの少なくとも一部は、前記反射面における前記ミラーの中心から離れるほど密になった複数の同心円上に配置されると共に、前記同心円の円周方向に等間隔に配置されていることを特徴とする光学装置。
【請求項２】
前記複数のアクチュエータの全体的な配置が回転対称になっていることを特徴とする請求項１に記載の光学装置。
【請求項３】
ベースプレートを有し、前記アクチュエータは前記ミラーの裏面と前記ベースプレートとの間に配置されていることを特徴とする請求項１または２に記載の光学装置。
【請求項４】
前記アクチュエータは、前記ミラーの光学有効領域となる境界上またはその近傍と、変形させられる前記反射面の形状の極値または極値の近傍から選択した箇所と、に配置されていることを特徴とする請求項１乃至３の何れか一項に記載の光学装置。
【請求項５】
前記アクチュエータは、さらに、変形させられる前記反射面の形状の変曲点または変曲点の近傍から選択した箇所に配置されていることを特徴とする請求項４に記載の光学装置。
【請求項６】
前記極値または変曲点は、変形させられる前記反射面の形状をn項までのツェルニケ多項式に展開したときの各項の極値または変曲点であることを特徴とする請求項４または５に記載の光学装置。
【請求項７】
前記ミラーは、前記中心における前記反射面に垂直な方向から見て円形であることを特徴とする請求項１乃至６の何れか一項に記載の光学装置。
【請求項８】
前記ミラーは、前記反射面が平面形状、凹形状、凸形状のいずれか１つを含むことを特徴とする請求項１乃至７の何れか一項に記載の光学装置。
【請求項９】
マスクのパターンを基板に投影する投影光学系であって、
請求項１乃至８の何れか一項に記載の光学装置を含むことを特徴とする投影光学系。
【請求項１０】
基板を露光する露光装置であって、
請求項９に記載の投影光学系を含むことを特徴とする露光装置。
【請求項１１】
請求項１０に記載の露光装置を用いて基板を露光する露光工程と、
前記露光工程で露光された基板を現像する工程と、
現像された基板から物品を製造する工程と、
を有することを特徴とする物品の製造方法。
【発明の詳細な説明】
【技術分野】
【０００１】
本発明は、変形可能なミラーを含む光学装置、投影光学系、露光装置、および物品製造方法に関する。
【背景技術】
【０００２】
波面誤差や像ひずみを補正するために変形可能なミラーを含む光学装置は、特に半導体露光装置やフラットパネル露光装置、天体望遠鏡などに使用される。露光装置では近年その解像度の要求がますます厳しくなってきており、従って露光収差への要求も厳しくなってきている。そこで、露光収差を補正するために、露光装置に変形可能なミラーを含む装置構成が提案されている。また、天文分野でも、地上に設置される望遠鏡における空気揺らぎの影響を抑えるために、変形可能なミラーが使われるようになってきている。
【０００３】
非特許文献１は、地上型天体望遠鏡における空気揺らぎの影響を低減するために、薄い副鏡の裏面に、該副鏡を変形させるアクチュエータとしてボイスコイルモータを均等に336本配置した構成を提案している。
【０００４】
特許文献１は、露光装置に変形可能なミラーを適用した場合に、ミラーを変形させる際にアクチュエータから発生する熱の影響を低減するために、発生力が大きく発熱が比較的少ない電磁石を用いた可変形ミラーの構成を提案している。
【先行技術文献】
【特許文献】
【０００５】
【特許文献１】特開２００７−３１６１３２号公報（段落（０００７）、図７）
【非特許文献】
【０００６】
【非特許文献１】M.Lloyd-Hart, etl.，「Adaptive optics for the 6.5-m MMT」，Proceedings of SPIE, USA, SPIE, 2000, Vol. 4007, p.167-174
【発明の概要】
【発明が解決しようとする課題】
【０００７】
しかし、非特許文献１のようにアクチュエータを均等且つ密に配置する構成では、不要な場所にもアクチュエータが配置され、製作及び制御が複雑になるだけでなく、変形可能なミラーのコストも高くなってしまうことがあり得る。また特許文献１は、実施例として、ツェルニケ多項式で表現されるミラーの２θ成分、３θ成分を補正するためのアクチュエータの配置例を示しているが、配置例の背後にある配置思想ないし配置原理を開示するものではない。そこで、本発明は、なるべく少ない数のアクチュエータで所望のミラー変形精度を達成することができるミラーにおけるアクチュエータの配置の技術を提供することを目的とする。
【課題を解決するための手段】
【０００８】
本発明の一側面による光学装置は、ミラーと、ミラーの反射面の形状を変形させる複数のアクチュエータと、を有する光学装置であって、前記複数のアクチュエータの少なくとも一部は、前記反射面における前記ミラー中心から離れるほど密になった複数の同心円上に配置されると共に、前記同心円の円周方向に等間隔に配置されている。
【発明の効果】
【０００９】
本発明の一側面によれば、所望のミラー変形精度を維持しつつ、アクチュエータの数を減らすことができる。
【図面の簡単な説明】
【００１０】
【図１】第１実施形態の駆動点配置（アクチュエータ配置）を示した図である。
【図２】第１実施形態の実施例１における計算結果を示した図である。
【図３】第２実施形態の駆動点配置（アクチュエータ配置）を示した図である。
【図４】第２実施形態における半径方向の駆動点配置方法を示した図である。
【図５】第２実施形態の計算例を示した図である。
【図６】第３実施形態の駆動点配置（アクチュエータ配置）を示した図である。
【図７】第５実施形態の露光装置を示した図である。
【図８】定義した用語の説明のための図である。
【発明を実施するための形態】
【００１１】
本発明の一側面の配置方針によれば、ミラーの反射面の形状を変形させる複数のアクチュエータの少なくとも一部が、反射面におけるミラーの中心から離れるほど密になった複数の同心円上に配置されると共に、各同心円の円周方向に等間隔に配置される。「密になった」とは、半径方向の外側に行くほど同心円間の半径方向の距離が狭まることである。この配置方針は、ミラーの反射面の形状補正のために効果的なアクチュエータの配置位置を見出し、高いミラー変形精度とアクチュエータの配置数の少なさとを両立しようとするものである。効果的なアクチュエータの配置位置としては、ミラーの目標形状を表現する式（例えば、ツェルニケ多項式）を参考にしてミラーの半径方向におけるアクチュエータの効果的な配置箇所を探り、円周方向ではミラーの形状の回転対称性を考慮する。一般的にミラーの外周付近の形状を精度良く規定するのに、アクチュエータの配置位置間の距離に係わる後述の最大空間周波数という概念が必要で、ミラー外周付近ではアクチュエータは最小駆動点間隔で配置されるのが好ましい。従って、アクチュエータはミラーの中心から離れるほど密に配置され、外周部では最も密に配置されるのが好ましい。同心円の円周方向に等間隔に配置することは、反射面に垂直な方向から見たミラーの形状が、対称回数が無限の回転対称性をもつ円形である場合により有効である。またこの観点から、複数のアクチュエータの全体的な配置は回転対称になっているのが好ましい。
【００１２】
以下に、本発明の好ましい実施形態を添付の図面に基づいて詳細に説明する。まず、本発明の一側面を規定するのに使われている用語の定義を行う。円周方向で「等間隔」というのは、次のように定義する。理想的な場合、同じ円周方向に配置される複数のアクチュエータは幾何学的等間隔Laで配置されるが、装置の加工、組立、その他の都合などで正確に理想的な位置に配置することが困難な場合が多々ある。そこで、「等間隔」は、アクチュエータの位置ずれ量が幾何的等間隔Laの±３０％以内である場合も含むことを指す。
【００１３】
また本明細書中で用いる「極値の近傍」、「変曲点の近傍」における「近傍」は、半径方向におけるアクチュエータの理想的な位置からのずれ量が、隣り合うアクチュエータの間隔Lbの３０％以内であることを指す。用語「等間隔」における位置ずれ量を±３０％以内（−３０％と３０％との間の範囲以内）、また用語「近傍」における位置ずれ量を３０％以下と定義した理由については、実施形態の説明後に図８を用いて説明する。
【００１４】
＜第１実施形態＞
図１は、第１実施形態における光学装置１０の構成を示す概略図である。図１（ａ）は、光学装置１０の上面図を示し、図１（ｂ）は、光学装置１０の断面（正面）図を示している。光学装置１０は、ミラー１を変形させる、具体的には、ミラー１の反射面１ａを所望の目標形状に変形させることができる可変形ミラー装置である。光学装置１０は、ミラー１と、保持部材２と、ベースプレート４と、アクチュエータ３と、を含み得る。
【００１５】
光軸Ａを持つミラー１は、保持部材２を介してベースプレート４に固定されている。ミラー１とベースプレート４との間には、ミラー１の反射面１ａの形状を所望の形状に変形させるためのアクチュエータ３が複数配置されている。本実施形態のアクチュエータ３は、ミラー１の裏面１ｂに取り付けた磁石３ａと、ベースプレート４上に取り付けたコイル３ｂからなるボイスコイルモータ（ＶＣＭ）と、を含み得る。ミラー１は、反射面１ａに垂直な方向から見て円形の平面形状を有し、ミラー１の中心を通り平面形状に垂直な中心軸が上記光軸Ａとなる。また、ミラー１は、反射面１ａが凹形状を含む凹面ミラーや、反射面１ａが凸形状を含む凸面ミラーとしても良い。すなわち、ミラー１は、反射面１ａが平面形状、凹形状、凸形状のいずれか１つを含むようにできる。
【００１６】
駆動点５はアクチュエータ３の位置を表すもので、ミラー１の複数の同心円上に配置され、且つ複数の同心円はミラー１の中心を通る光軸Ａから離れるほど密に配置されている。一番内側の一点鎖線の同心円と一番外側の一点鎖線の同心円は、それぞれ内側の光学有効領域境界６と外側の光学有効領域境界７を表す。また、アクチュエータ３は、同じ半径上の円周方向には、等間隔で配置されている。さらに、アクチュエータ３は半径方向に整列して配置され、複数のアクチュエータの全体的な配置は９０度回転対称になっている。
【００１７】
また、ミラー１は、ばね性を有する弾性部材などを介して、例えばリング状の中間部材に保持され得る。弾性部材などは、例えばミラー外周部の同一円周上の３箇所に１２０°間隔で設けられる。中間部材は高い剛性を有しており、中間部材とベースプレート４の間に設けた、アクチュエータ３とは別のアクチュエータによってＸＹＺ軸方向や各軸回りの回転方向（チルト方向）に駆動される。ミラー１の位置は、変位計などの計測手段によって計測され、計測結果にもとづいて上記別のアクチュエータを駆動することで調整され得る。これにより、ミラー１の位置および姿勢を制御することができる。また、ミラー１の反射面１ａの形状も、レーザー干渉計などによって計測され、計測値と目標形状値との差に基づいてアクチュエータ３が駆動・制御されることでミラー１の反射面が目標形状にもたらされる。ここにおいて、制御器（不図示）が、計測値と目標形状値との差から反射面の変形に必要な力を算出し、算出された力を発生させるようにアクチュエータ３のコイル３ｂに電流を流す。また、各コイルに流す電流値を電流計（不図示）で計測して、計測結果にもとづいてフィードバック制御する。
【００１８】
（実施例１）
次に計算例を用いて、第１実施形態の実施例１の効果を説明する。計算モデルにおけるミラー１の諸元は表１に示す。表１における有効内径は内側の光学有効領域境界６に対応し、有効外径が外側の有効領域境界７に対応する。
【００１９】
表１  計算モデルの諸元
ミラー材質      ミラー外径      有効外径      有効内径      ミラー厚み
石英            320mm            300mm        90mm          4mm
【００２０】
本実施例では、補正したい最大空間周波数（所望される形状精度を達成するために要求される駆動点の最小間隔）から最小駆動点間隔を21mmとする。具体的には、後述する図２のシミュレーション例に用いた、ツェルニケ多項式のZ1〜Z16項からなる目標形状において、最大空間周波数を持つZ16項から最小駆動点間隔を決めている。例えば、最小駆動点間隔は、後述の図４における、破線で示す曲線上の一番右側の黒丸で表される点と右から二番目の黒丸で表される点との間の距離から求めることができる。また、ミラーの補正したい形状と補正駆動後の形状との差分形状である誤差形状が、RMS（root mean square）で、10nm以内になることを目標にした。前述した様に、前記最大空間周波数は一般的にミラーの外周付近の形状を表すのに必要で、本実施例での最小駆動点間隔21mmもミラー外周付近の間隔と仮定する。
【００２１】
そこで、ほぼ21mm間隔で均等に駆動点を配置する比較例を考えると、この比較例では、表２から駆動点の合計は１６８個となり、アクチュエータは１６８個必要となる。この数値は、周方向のアクチュエータの配置数を第１周目から第６周目まで合計して得られる。
【００２２】
表２  均等配置の比較例：駆動点の配置位置と数
第１周目    第２周目    第３周目    第４周目    第５周目    第６周目
配置直径      90mm        132mm      174mm        216mmm      258mm        300mm
周方向の配置数  8          16          24          32          40            48
【００２３】
一方、本発明の配置思想を適用した実施例１では、アクチュエータを配置する駆動点の合計は、表３から１３６個のアクチュエータが必要となることが分かる。この数値は、周方向のアクチュエータの配置数を第１周目から第５周目まで合計して得られる。表３から分かる様に、アクチュエータの配置箇所は、半径方向外側に行くに従って次第に密になっている。
【００２４】
表３  本実施例の配置方法による配置例：駆動点の配置位置と数
第１周目    第２周目    第３周目    第４周目    第５周目
配置直径      90mm        153mm      209mm        258mmm      300mm
周方向の配置数  8          16          24          40          48
【００２５】
図２に表２と表３の変形駆動のシミュレーション結果を示す。図２（ａ）〜（ｃ）は１６８点配置例（比較例）の結果を示し、図２（ｄ）〜（ｆ）は１３６点配置例（実施例１）の結果を示している。同じ行の３枚の図はそれぞれ補正したい形状、補正駆動後の形状、および両者の差分形状を示す。ここで補正したい形状（目標の形状）は、光学領域で良く使われているツェルニケ多項式で展開するときの係数をランダムに発生させて作成した形状である。
【００２６】
ツェルニケ多項式は、円形領域で完全系を成す直交多項式であり、円形であることが多いレンズ、ミラーと相性が良く、光学分野でよく使われている。しかし、本明細書では光学収差を表すのでなく、ミラーの形状を表すのに用いる。つまり、ミラーの形状を例えば次の式（１）で表わすことができる。
Ｓ（r,θ）=ΣＣi・Ｚi  ・・・（１）
ここで、Ｃiはツェルニケ多項式の各項の係数であり、Ｚiはツェルニケ多項式の各項で、iはツェルニケ多項式の次数を表わす。ツェルニケ多項式の36項までの各項は極座標系r-θで次の式（２）ように表わされる。
【００２７】
Ｚ１＝１
Ｚ２＝ｒｃｏｓ（θ）
Ｚ３＝ｒｓｉｎ（θ）
Ｚ４＝２ｒ２ −１
Ｚ５＝ｒ２ｃｏｓ（２θ）
Ｚ６＝ｒ２ｓｉｎ（２θ）
Ｚ７＝（３ｒ３−２ｒ）ｃｏｓ（θ）
Ｚ８＝（３ｒ３−２ｒ）ｓｉｎ（θ）
Ｚ９＝（６ｒ４−６ｒ２ ＋１）
Ｚ１０＝ｒ３ｃｏｓ（３θ）
Ｚ１１＝ｒ３ｓｉｎ（３θ）
Ｚ１２＝（４ｒ４−３ｒ２）ｃｏｓ（２θ）
Ｚ１３＝（４ｒ４−３ｒ２）ｓｉｎ（２θ）
Ｚ１４＝（１０ｒ５−１２ｒ３＋３ｒ）ｃｏｓ（θ）
Ｚ１５＝（１０ｒ５−１２ｒ３＋３ｒ）ｓｉｎ（θ）
Ｚ１６＝（２０ｒ６−３０ｒ４＋１２ｒ２−１）
Ｚ１７＝ｒ４ｃｏｓ（４θ）
Ｚ１８＝ｒ４ｓｉｎ（４θ）
Ｚ１９＝（５ｒ５−４ｒ３）ｃｏｓ（３θ）
Ｚ２０＝（５ｒ５−４ｒ３）ｓｉｎ（３θ）
Ｚ２１＝（１５ｒ６−２０ｒ４＋６ｒ２）ｃｏｓ（２θ）
Ｚ２２＝（１５ｒ６−２０ｒ４＋６ｒ２）ｓｉｎ（２θ）
Ｚ２３＝（３５ｒ７−６０ｒ５＋３０ｒ３−４ｒ）ｃｏｓ（θ）
Ｚ２４＝（３５ｒ７−６０ｒ５＋３０ｒ３−４ｒ）ｓｉｎ（θ）
Ｚ２５＝（７０ｒ８−１４０ｒ６＋９０ｒ４−２０ｒ２＋１）
Ｚ２６＝ｒ５ｃｏｓ（５θ）
Ｚ２７＝ｒ５ｓｉｎ（５θ）
Ｚ２８＝（６ｒ６−５ｒ２）ｃｏｓ（４θ）
Ｚ２９＝（６ｒ６−５ｒ２）ｓｉｎ（４θ）
Ｚ３０＝（２１ｒ７−３０ｒ５＋１０ｒ３）ｃｏｓ（３θ）
Ｚ３１＝（２１ｒ７−３０ｒ５＋１０ｒ３）ｓｉｎ（３θ）
Ｚ３２＝（５６ｒ８−１０５ｒ６＋６０ｒ４−１０ｒ２）ｃｏｓ（２θ）
Ｚ３３＝（５６ｒ８−１０５ｒ６＋６０ｒ４−１０ｒ２）ｓｉｎ（２θ）
Ｚ３４＝（１２６ｒ９−２８０ｒ７＋２１０ｒ５−６０ｒ３＋５ｒ）ｃｏｓ（θ）
Ｚ３５＝（１２６ｒ９−２８０ｒ７＋２１０ｒ５−６０ｒ３＋５ｒ）ｓｉｎ（θ）
Ｚ３６＝（２５２ｒ１０−６３０ｒ８＋５６０ｒ６−２１０ｒ４＋３０ｒ２−１）
・・・（２）
【００２８】
図２の例では、ツェルニケ多項式をＺ１〜Ｚ１６まで考慮し、その係数Ｃ1〜Ｃ１６を正規分布に従ってランダム数発生させ、その値を式（１）に代入して目標形状Ｓを作成したものである。具体的には、正規分布の平均値はゼロ、偏差値はＣ１〜Ｃ４を100nm、Ｃ５−Ｃ１６を25nmとして、ランダム数を発生させた値から形状Ｓを作成している（図２の（ａ）と（ｄ））。
【００２９】
１６８点配置例では可変形ミラーの補正能力を示す誤差形状はRMSで2.6nm、１３６点配置例では誤差形状はRMSで5.8nmと、両者とも目標である10nm以下という目標値を満たしている。また、最小駆動点間隔21mmという前提条件も満たしている。ここで１３６点配置における最小駆動点間隔は第５周目と第４周目との間隔であり、表３より（300-258）/2=21mmとなっている。ということは、１６８点配置例（比較例）は過剰な駆動点を配置しており、従って余分なアクチュエータを取り付けていることになる。
【００３０】
従って、本発明による上記実施形態や実施例の方法を用いると駆動点の数を減らすことができるので、加工及び組立の複雑さが軽減でき、さらに制御系の複雑さも軽減することが可能となる。また結果的には、可変形ミラーの製作及び運用時のコストも削減できる。本実施例では、駆動点配置の一例を示したが、これに限定するものでない。例えば、アクチュエータの外周付近の配置は光学領域境界上が望ましいが、その近傍でもよい。またアクチュエータをＶＣＭの例で説明したが、他のアクチュエータ（例えばミラーの裏面に配置されるバイモルフ）でもよい。
【００３１】
＜第２実施形態＞
次に図３と図４を用いて第２実施形態の駆動点配置方法について説明する。図３は駆動点を、補正したい形状の光学領域境界上、及び極値または極値近傍に配置した例を示す。本実施形態に限らず、各図における同じ符号は同じ構成部材または構成要素を指し、これらは第１実施形態で説明したので、ここではその説明を省略する。本実施形態では、形状補正のために効果的な位置（極値）またはその近傍に配置するのであるが、これは第１実施形態の外周に行くほど密に配置するという考え方と一致する。ここでも複数のアクチュエータの全体的な配置は９０度回転対称になっている。
【００３２】
図４において、２つの曲線はミラー１形状をツェルニケ多項式で展開した時の回転対称成分になるＺ９項と、Ｚ１６項を表したものであり、横軸rはミラー１の半径で無次元化した半径で、縦軸はツェルニケ係数に係わる値を示す。曲線上の一番左側と一番右側の黒丸で表される点は、内側と外側の光学領域境界上、またはその近傍の位置を示し、それ以外の黒丸で表される点は、曲線の極値、または極値近傍の点を表す。図４の黒丸で表される点に従って半径方向の駆動点配置を決め、また周方向でも、図示していないが、できるだけ極値とその近傍に配置すると、表４のような配置ができ必要なアクチュエータの数は４４本となる。
【００３３】
表４  本実施形態の配置方法による配置例：駆動点の配置位置と数
第１周目    第２周目    第３周目    第４周目    第５周目
配置直径      90mm        158mm      212mm        258mmm      300mm
周方向の配置数  4          8          8            12          12
【００３４】
図５は第２実施形態の計算例を示した図である。図５において、（ａ）、（ｂ）、及び（ｃ）はそれぞれ補正したい形状、補正駆動後の形状、及び誤差形状を示す。表４のような駆動点配置によって、補正したい形状を作ると誤差形状は図５（ｃ）に示すように、RMSで9nmと目標値以内となっている。また、最小駆動点間隔も21mmと前提条件を満たしている。つまり、アクチュエータの数を表２の１６８本から４４本まで減らしても所望の目標は達成できることを示している。
【００３５】
本実施形態においても、駆動点の配置は図示した例に限定するものでない。必要な目標（補正精度）に合わせて増減すればよい。また、実際の設計上、正確に極値、光学領域の境界上にアクチュエータを配置または取り付けることが難しい場合があるので、その場合は極値の近傍、境界の近傍でもよい。さらに、場合によっては全ての極値に駆動点を配置するのはスペース上困難な場合があり、このような状況では選択して代表的な極値、またはその近傍に配置してもよい。
【００３６】
＜第３実施形態＞
図６は本発明の第３実施形態の駆動点配置を示した図で、図４に示す第２実施形態における駆動点５以外に、半径方向では変曲点近傍にも駆動点を配置した実施形態である。図６において、白丸で表される点は変曲点８を示す。形状の極値以外に変曲点８にも駆動点を配置することでより正確に所望の形状を作ることができる。
【００３７】
本実施形態では、半径方向の変曲点８に駆動点をさらに追加した例を示したが、周方向の変曲点８に駆動点を追加してもよい。また、全ての変曲点８に駆動点を配置しなくてもよく、目標値を達成するための必要且つ最小限の駆動点を配置する方が望ましい。
【００３８】
＜第４実施形態＞
本実施形態において、面形状の極値と変曲点は、任意の面形状をツェルニケ多項式のn項までで表現したときのツェルニケ多項式の各項（1,2,…n）の極値と変曲点である。また、一般的に光学装置において光学性能に影響をもたらす面形状はツェルニケ多項式では６４項まで考慮すれば十分な場合が多いので、最大でも６４項までを考慮すれば良い。すなわち、４項から９項まで、または４項から１０項まで、・・・、または４項から６４項まで、を考慮した配置形態が可能である。
【００３９】
＜第５実施形態＞
図７を用いて、第５実施形態に係る露光装置５０について説明する。露光装置５０は、照明光学系ＩＬと、投影光学系ＰＯと、マスク５５を保持して移動するマスクステージＭＳと、基板５６を保持して移動する基板ステージＷＳとを含み得る。また、露光装置５０は、ＣＰＵやメモリなどを含み、露光装置５０の全体を制御する制御部５１を含む。
【００４０】
光源（不図示）からの光は、照明光学系ＩＬに含まれるスリット（不図示）を介して、例えば、Ｙ軸方向に長い円弧状の照明領域をマスク上に形成する。マスク５５及び基板５６のそれぞれは、マスクステージＭＳ及び基板ステージＷＳに保持され、投影光学系ＰＯを介して、光学的にほぼ共役な位置（投影光学系ＰＯの物体面及び像面の位置）に配置されている。投影光学系ＰＯは、所定の投影倍率（例えば、１／２倍）を有し、マスク５５に形成されたパターンを基板５６に投影する。そして、マスクステージＭＳ及び基板ステージＷＳを、投影光学系ＰＯの物体面と平行な方向（例えば、図７のＸ軸方向）に、投影光学系ＰＯの投影倍率に応じた速度比で走査する。これにより、マスク５５に形成されたパターンを基板５６に転写することができる。
【００４１】
投影光学系ＰＯは、例えば、図７に示すように、平面ミラー５２と、凹面ミラー５３と、凸面ミラー５４とを含み得る。照明光学系ＩＬから射出され、マスク５５を通過した光は、平面ミラー５２の第１面５２ａで反射され、凹面ミラー５３の第１面５３ａに入射する。凹面ミラー５３の第１面５３ａで反射した光は、凸面ミラー５４で反射され、凹面ミラー５３の第２面５３ｂに入射する。凹面ミラー５３の第２面５３ｂで反射した光は、平面ミラー５２の第２面５２ｂで反射され、基板上に結像する。投影光学系ＰＯでは、凸面ミラー５４が光学的な瞳となる。
【００４２】
露光装置５０において、上述した実施形態における光学装置１０は、例えば、凹面ミラー５３の反射面を任意の形状に変形させる（即ち、凹面ミラー５３をミラー１とする）可変ミラー装置として用いられる。これにより、光学性能の低下を抑制することができる。ここで、露光装置５０における制御部５１は、上述した実施形態における光学装置１０における制御部（不図示）を含むように構成されてもよい。
【００４３】
（物品の製造方法）
本発明の実施形態に係る物品の製造方法は、例えば、半導体デバイス等のマイクロデバイスや微細構造を有する素子等の物品を製造するのに好適である。本実施形態の物品の製造方法は、基板に塗布された感光剤に露光装置５０を用いて潜像パターンを形成する工程（基板を露光する工程）と、かかる工程で潜像パターンが形成された基板を現像する工程とを含む。更に、かかる製造方法は、他の周知の工程（酸化、成膜、蒸着、ドーピング、平坦化、エッチング、レジスト剥離、ダイシング、ボンディング、パッケージング等）を含む。本実施形態の物品の製造方法は、従来の方法に比べて、物品の性能・品質・生産性・生産コストの少なくとも１つにおいて有利である。
【００４４】
最後に、本明細書における用語「等間隔」、「近傍」の定義における±３０％以内と３０％以内について図８を用いて説明する。まず駆動点位置が正確な位置からずれた時の反射面の面形状の劣化量を２０％以内にすることを目標とする。すると駆動点位置が約３０％ずれたときに面形状の劣化量（誤差増加量）が約２０％となり、ずれ量が３０％と超えると面形状の劣化量が急激に増加する。そこで位置ずれ量を±３０％以内、３０％以内とした。
【００４５】
以上、本発明の好ましい実施形態について説明したが、本発明は、これらの実施形態に限定されず、その要旨の範囲内で種々の変形および変更が可能である。
【符号の説明】
【００４６】
１  ミラー
１ａ  ミラーの反射面
３  アクチュエータ
５  駆動点
８  変曲点
【図１】
2019028352.tif 000003
【図２】
2019028352.tif 000004
【図３】
2019028352.tif 000005
【図４】
2019028352.tif 000006
【図５】
2019028352.tif 000007
【図６】
2019028352.tif 000008
【図７】
2019028352.tif 000009
【図８】
2019028352.tif 000010